(57)【特許請求の範囲】
【請求項１】
固定屋根に対して可動屋根が摺動自在に設けられて該可動屋根を摺動することで屋根が開閉可能な可動屋根を有する建築物の空調装置において、基端部が空調機器に連結される一方、先端部が前記建築物の中央部側に延設されて接続開口が形成された固定ダクトを前記固定屋根に設け、基端部が少なくとも前記可動屋根の閉止時に前記固定ダクトの接続開口に連結される一方、先端部が前記建築物のほぼ中央に位置する吸引開口が形成された吸引ダクトを前記可動屋根に設けたことを特徴とする可動屋根を有する建築物の空調装置。
【発明の詳細な説明】
【０００１】
【発明の属する技術分野】
本発明は、固定屋根に対して摺動開閉可能な可動屋根を有する建築物の空調装置に関する。
【０００２】
【従来の技術】
近年、豪華施設の多用途化に伴って開閉式の可動屋根を備えたドームやスタジアムが多く建設されるようになってきている。このような可動屋根を備えた各施設にあって、可動屋根の開放時には、屋根開口部によって換気を行うことができるが、可動屋根の閉止時には、屋根開口部が閉じているために換気を行うことができないので、通常、空調設備が設けられている。
【０００３】
図４に従来の可動屋根を有する建築物の空調装置を表す概略を示す。
【０００４】
図４に示すように、スタジアムの建屋１０１は上部に固定屋根１０２が設けられると共に、この固定屋根１０２に対して可動屋根１０３が摺動自在に設けられており、図示しない駆動装置によってこの可動屋根１０３を摺動することで、建屋１０１の中央上部を開閉することができる。そして、この建屋１０１内には階段状の多数の観客席１０４が設けられている。
【０００５】
このようなスタジアムの空調装置として、建屋１０１の側壁には空調機器を構成する冷凍機１１１と吸入機１１２が装着されている。そして、冷凍機１１１には複数の送風ダクト１１３が連結されており、各送風ダクト１１３の先端の吐出開口１１４は建屋１０１の内部に連通している。一方、吸入機１１２には連結管１１５を介して固定屋根１０２内に形成された吸引ダクト１１６が連結されており、この吸引ダクト１１６の先端の吸引開口１１７は建屋１０１の内部に下方を向いて連通している。
【０００６】
従って、図４に実線で示す可動屋根１０３の閉止状態から、駆動装置によってこの可動屋根１０３を摺動（図４にて左方に移動）すると、建屋１０１の中央上部が開放される。一方、図４に二点鎖線で示す可動屋根１０３の開放状態から、駆動装置によってこの可動屋根１０３を摺動（図４にて右方に移動）すると、この可動屋根１０３によって建屋１０１の中央上部が閉止される。空調装置を使用する場合、この可動屋根１０３の閉止状態で、冷凍機１１１及び吸入機１１２を駆動し、各送風ダクト１１３を通して各吐出開口１１４から建屋１０１の内部に冷風Ｃを供給する。一方、吸引開口１１７から内部の空気を吸引し、吸引ダクト１１６及び連結管１１５を介して外部に排出する。この場合、吐出開口１１４から建屋１０１内に供給された冷風Ｃは観客席１０４及び床面Ｆにを通って中心部Ｏに導かれ、反対側からの冷風とぶつかりあって上昇し、吸引開口１１７に吸引される。
【０００７】
【発明が解決しようとする課題】
ところが、上述した従来の可動屋根を有する建築物の空調装置にあっては、建屋１０１の内部に供給された冷風Ｃが互いにぶつかりあって乱流が発生し、効率よく冷房を行うことができないという問題があった。
【０００８】
即ち、送風ダクト１１３を通って吐出開口１１４から建屋１０１内に供給された冷風Ｃは、前述したように、熱交換が行われながら中心部Ｏに導かれ、反対側からの冷風とぶつかりあって上昇（冷風Ｃ１）するが、その一部の冷風Ｃ２が観客席１０４側に流れ、吐出開口１１４から出てきて冷風Ｃとぶつかりあってしまう。そのため、ここで冷風Ｃと温まった空気Ｃ２とが混合され、建屋１０１内部での冷風Ｃの循環がうまくいかず、冷房効率を悪化させていた。
【０００９】
本発明はこのような問題を解決するものであって、可動屋根の閉止時に内部の空気の循環をスムースに行って空調の効率化を図った可動屋根を有する建築物の空調装置を提供することを目的とする。
【００１０】
【課題を解決するための手段】
上述の目的を達成するための本発明の可動屋根を有する建築物の空調装置は、固定屋根に対して可動屋根が摺動自在に設けられて該可動屋根を摺動することで屋根が開閉可能な可動屋根を有する建築物の空調装置において、基端部が空調機器に連結される一方、先端部が前記建築物の中央部側に延設されて接続開口が形成された固定ダクトを前記固定屋根に設け、基端部が少なくとも前記可動屋根の閉止時に前記固定ダクトの接続開口に連結される一方、先端部が前記建築物のほぼ中央に位置する吸引開口が形成された吸引ダクトを前記可動屋根に設けたことを特徴とするものである。
【００１１】
従って、固定屋根に対して可動屋根が摺動して屋根が閉止状態にあるとき、内部の空気は建築物のほぼ中央に位置する吸引開口から吸引ダクト内に吸引され、固定ダクトの接続開口を通ってこの固定ダクトに流動し、基端部の空調機器によって外部に排出される。
【００１２】
【発明の実施の形態】
以下、本発明の実施の形態を説明する。
【００１３】
本発明の空調装置は、建築物に設けられた固定屋根に対して可動屋根が摺動自在に設けられ、この可動屋根をウインチなどの各種の駆動装置によって摺動させることで屋根の一部を開閉可能とした可動屋根を有する建築物に適用される。
【００１４】
このような可動屋根を有する建築物において、例えば、側壁には空調機器を構成する冷凍機及び吸入機が装着されており、冷凍機に連結された送風ダクトの先端部は建築物の内部に連通し、冷風を供給することができる。一方、固定屋根には建築物の側壁側から中央部側に伸びる固定ダクトが設けられており、この固定ダクトの基端部が吸入機に連結され、先端部には接続開口が形成されている。また、可動屋根にも同様に建築物の側壁側から中央部側に伸びる吸引ダクトが設けられており、この吸引ダクトの基端部は可動屋根の閉止時に固定ダクトの接続開口に連結可能な接続開口が形成され、先端部には建築物のほぼ中央に位置する吸引開口が形成されている。
【００１５】
従って、固定屋根に対して可動屋根が摺動して屋根が閉止状態にあるとき、冷凍機を作動して送風ダクトを通してその先端部から建築物の内部に冷風を供給すると、この冷風は内部に床に沿って建築物の中央部側に流れ、熱交換が行われながら上昇する。一方、吸入機を作動すると、建築物の内部を冷却して暖まった空気は建築物のほぼ中央部に導かれ、ここに位置する吸引開口から吸引ダクト内に吸引され、この吸引ダクトに各接続開口を介して連結された固定ダクトに流動し、外部に排出されることとなる。
【００１６】
このように固定屋根に固定ダクトを形成すると共に、可動屋根に吸引ダクトを形成し、固定屋根に対して可動屋根が閉止状態にあるとき、固定ダクトの先端部と吸引ダクトの基端部が各接続開口によって連結され、且つ、吸引ダクトの先端開口が建築物の内部の中央位置に開口することで、内部に供給された空気の流れを乱すことなく、回収することができる。
【００１７】
【実施例】
以下、図面に基づいて本発明の実施例を詳細に説明する。
【００１８】
図１に本発明の一実施例に係る可動屋根を有する建築物の空調装置を表す概略、図２に本実施例の可動屋根を有する建築物の空調装置の平面視、図３に固定ダクトと吸引ダクトとの連結部を表す概略を示す。
【００１９】
本実施例の空調装置が適用された可動屋根を有する建築物において、図１及び図２に示すように、スタジアムの建屋１１は平面視が矩形状をなし、左右上部に固定屋根１２が設けられると共に、この固定屋根１２に対して建屋１１の中央部側に一対の可動屋根１３が摺動自在に設けられており、この一対の可動屋根１３は図示しない駆動装置によって摺動して建屋１１の中央上部を開閉することができる。そして、この建屋１１内の中央部には競技を行うグランド１４が設けられると共に、このグランド１４を囲むように階段状の多数の観客席１５が設けられている。
【００２０】
従って、図１及び図２に実線で示す可動屋根１２の閉止状態から、駆動装置によって一対の可動屋根１３を互いに離間するように建屋１１内の外側に摺動させると、図１に二点鎖線で示すように、この一対の可動屋根１３は左右の固定屋根１２の上に移動し、建屋１１の中央上部が開口する。一方、この可動屋根１２の開放状態から、駆動装置によって一対の可動屋根１３を互いに接近するように建屋１１内の中央側に摺動させると、図１に実線で示すように、この一対の可動屋根１３によって建屋１１の中央上部が閉止する。
【００２１】
このような建屋１１の空調装置として、図１及び図２に示すように、建屋１１の両側には空調室２１が設けられており、各空調室２１内には空調機器を構成する冷凍機２２と吸入機２３が配置されている。そして、冷凍機２２には複数の送風ダクト２４の基端部が連結されており、各送風ダクト２４の先端の吐出開口２５は建屋１１の内部に連通している。一方、固定屋根１２には建屋１１の左右の側壁側から中央部側に伸びる固定ダクト２６が形成されており、この固定ダクト２６の基端部は連結パイプ２７を介して吸入機２３に連結され、先端部は上方に９０度屈曲して接続開口２８が形成されている。また、可動屋根１３には建屋１１の側壁側から中央部側に伸びる第１吸引ダクト２９が形成されると共に、この第１吸引ダクト２９の先端部と交差するよう互いに連通する第２吸引ダクト３０が形成されている。そして、第１吸引ダクト２９の基端部にはこの可動屋根１３の閉止時に固定ダクト１２の接続開口２８に連結可能な接続開口３１が形成され、第２吸引ダクト３０の中央部及び各端部は下方に９０度屈曲して吸引開口３２が形成されている。
【００２２】
従って、固定屋根１２に対して一対の可動屋根１３が摺動して屋根が閉止状態にあるとき、固定屋根１２の固定ダクト２６の先端部は可動屋根１３の第１吸引ダクト２９の基端部と各接続開口２８，３１を介して連結されており、可動屋根１３の第２吸引ダクト３０の吸引開口３２は建屋１１の中央上部に位置している。この状態で冷凍機２２及び吸入機２３を作動すると、冷風が各送風ダクト２４を通して吐出開口２５から建屋１１の内部に供給され、この冷風Ｃは観客席１５及びグランド１４に沿って建屋１１の中央部側に流れる。そして、各冷風Ｃは熱交換が行われながら上昇し、各冷風Ｃ同士がぶつかりあって更に上昇し、各吸引開口３２側に流動する。そして、この建屋１１の内部を冷却して暖まった空気はこの吸引開口３２から第２吸引ダクト３０及び第１吸引ダクト２９を通り、更に、各接続開口２８，３１を介して固定屋根１２の固定ダクト２６に流動し、その後、外部に排出されることとなる。
【００２３】
このように本実施例にあっては、建屋１１の固定屋根１２に固定ダクト２６を形成すると共に、可動屋根１３に吸引ダクト２９，３０を形成し、固定屋根１２に対して可動屋根１３が閉止状態にあるときに、この固定ダクト２６の先端部と第１吸引ダクト２９の基端部とが各接続開口２８，３１によって連結され、且つ、第２吸引ダクトの吸引開口３２が建屋１１の内部の中央位置に位置することで、送風ダクト２５から内部に供給された冷風の流れを乱すことなく、回収することができ、冷却効率を向上させることができる。
【００２４】
【発明の効果】
以上、実施例を挙げて詳細に説明したように本発明の可動屋根を有する建築物の空調装置によれば、固定屋根に対して可動屋根を摺動自在に設け、基端部が空調機器に連結される一方、先端部が建築物の中央部側に延設されて接続開口が形成された固定ダクトを固定屋根に設け、基端部が少なくとも可動屋根の閉止時に固定ダクトの接続開口に連結される一方、先端部が建築物のほぼ中央に位置する吸引開口が形成された吸引ダクトを可動屋根に設けたので、内部に供給された冷風等の空気の流れを乱すことなく回収することがで、建築物の内部の空調を適切にコントロールして空調の効率化を図ることができる。
【図面の簡単な説明】
【図１】本発明の一実施例に係る可動屋根を有する建築物の空調装置を表す概略図である。
【図２】本実施例の可動屋根を有する建築物の空調装置の平面図である。
【図３】固定ダクトと吸引ダクトとの連結部を表す概略図である。
【図４】従来の可動屋根を有する建築物の空調装置を表す概略図である。
【符号の説明】
１１  建屋（建築物）
１２  固定屋根
１３  可動屋根
２１  空調室
２２  冷凍機
２３  吸引機
２４  送風ダクト
２６  固定ダクト
２８  接続開口
２９  第１吸引ダクト
３０  第２吸引ダクト
３１  接続開口
３２  吸引開口
【図１】
0003572132.tif 000002
【図２】
0003572132.tif 000003
【図３】
0003572132.tif 000004
【図４】
0003572132.tif 000005